(57)【要約】      （修正有）【課題】ＰＴＰシートから、弱い力又は片手で容易に錠剤を取り出すことができる錠剤取出器を提供する。【解決手段】錠剤取出器は、貫通孔１４を有する隔壁を内部に備える外箱１０と、半球型の突起を有する回転可能なドラム２１と、該隔壁と該ドラム２１との間にＰＴＰシートに保持された錠剤を挿入する隙間１７とを有し、該ドラム２１を回転させて該錠剤を該ＰＴＰシートから取り出すことを特徴とする。このドラム２１は中央部が凹んでおり、この凹みの中に半球型の突起２２を備えていることを特徴とする。この突起２２の高さはドラム２１の外周程度であり、ドラム２１の外周にはロ−レット加工を施すことが好ましい。【選択図】図２
0003197024.tif 000002
【実用新案登録請求の範囲】
【請求項１】
貫通孔を有する隔壁を内部に備える外箱と、  
半球型の突起を有する回転可能なドラムと、
該隔壁と該ドラムとの間にＰＴＰシートに保持された錠剤を挿入する隙間とを有し、
該ドラムを回転させて該錠剤を該ＰＴＰシートから取り出すことを特徴とする錠剤取出器。
【請求項２】
前記ドラムは中央部が凹んでおり、この凹みの中に半球型の突起を備えていることを特徴とする請求項１に記載の錠剤取出器。
【請求項３】
前記突起の高さは前記ドラムの外周程度であり、前記ドラムの外周にはロ−レット加工が施されていることを特徴とする請求項１又は２に記載の錠剤取出器。
【請求項４】
前記外箱が前記隔壁を挟む２つの窪みを有し、１つの窪みに前記ドラムを備え、他の窪みで取り出された前記錠剤を受け取ることを特徴とする請求項１に記載の錠剤取出器。
【考案の詳細な説明】
【技術分野】
【０００１】
本考案は、使いやすいＰＴＰシートからの錠剤取出器に関する。
【背景技術】
【０００２】
薬剤の投与のさい日常的に用いられている錠剤やカプセルは、紫外線や吸湿による変質や破損防止のため１個ずつ個別的に包装して流通させる場合が多い。そのさい、ＰＴＰシート、すなわち硬質プラスチックで形成した窪みのあるシートに錠剤若しくはカプセルを入れ、その上からアルミフィルム等でカバーした包装がよく用いられる。アルミフィルム等は容易に破ることができ、これを破って錠剤を取り出す。以下、本明細書において、錠剤というときはカプセルを含み、またＰＴＰシートの硬質プラスッチック側を表側、アルミフィルム等でカバーされた方を裏側と呼ぶことにする。
【０００３】
薬剤を日常的に飲んでいる方の中には、身体的な状況のためＰＴＰ包装された錠剤をうまく取り出せない方もおられる。また，錠剤の大きさは様々なので，大きいものは取り出せても小さいものはうまく取り出せない方もおられる。そのためＰＴＰ包装された錠剤を容易に取り出すための用具が求められている。
【０００４】
錠剤の大きさの穴を上面に有する箱の上面の上にＰＴＰ包装された錠剤を置き、上から錠剤を押して錠剤のみを箱の中へ落とす錠剤取出器がいろいろ公表されている。
具体的には、バネを付した板の先に押し出棒を設けたもの（特許文献１、８）、箱の上にＰＴＰシートを置き指で押すもの（特許文献２）、錠剤を押し出す押しだし棒が錠剤を押すときドラムをも回してＰＴＰシートをずらせ、錠剤を次々取り出せるもの（特許文献３）等が公開されている。さらに、上面の穴を大きさの異なる３種類設け、穴に並行してＰＴＰシートを通す溝を設け、指で押し出す方式のもの（特許文献４）、箱の中に押し上げレバーを設けて下から押して取り出すもの（特許文献５）、箱の上にハンドルを設け、てこの原理を利用して錠剤を押して取り出すもの（特許文献６−８）等も公開されている。
【０００５】
そのほか円筒を斜めに切って斜め面を上にして立て、押出板と円筒斜め面との間にＰＴＰシートを挟んで押出板で押して取り出すものも公開されている（特許文献９）。
【先行技術文献】
【特許文献】
【０００６】
【特許文献１】特開２０１１−１６１１１６号公報
【特許文献２】特開２００８−０５５１２８号公報
【特許文献３】特開２００３−２５２３１６号公報
【特許文献４】登録実用新案第３１７３２６６号公報
【特許文献５】登録実用新案第３０９２０８８号公報
【特許文献６】登録実用新案第３０５４８４１号公報
【特許文献７】登録実用新案第３０４８０７１号公報
【特許文献８】実開平０６−０８３０２９号公報
【特許文献９】特開２０１１−１２５３９２号公報
【考案の概要】
【考案が解決しようとする課題】
【０００７】
本考案が解決しようとする課題は、手が不自由なあるいは力が不十分な身体障害者や高齢者が、ＰＴＰシートに保持された錠剤を容易に取り出せる錠剤取出器を提供することである。
【課題を解決するための手段】
【０００８】
本考案の錠剤取出器は、貫通孔を有する隔壁を内部に備える外箱と、半球型の突起を有する回転可能なドラムと、該隔壁と該ドラムとの間にＰＴＰシートに保持された錠剤を挿入する隙間とを有し、該ドラムを回転させて該錠剤を該ＰＴＰシートから取り出すことを特徴とする。
【０００９】
上から見てカタカナの「エ」の字の形状をなす外箱を用いるのが好適である。貫通孔を有する隔壁は、外箱の「エ」の字の縦棒の位置に存在し、隔壁の一方の側に突起を有する回転可能なドラムを備え、隔壁とドラムの間にＰＴＰシートに保持された錠剤を挿入する。
【００１０】
該ドラムと該隔壁の隙間をＰＴＰシートの厚み程度にしておけば、その隙間に錠剤を保持したＰＴＰシートを容易に差し込むことができる。この時ＰＴＰシートの表側をドラムに向け、裏側を隔壁側に向け、錠剤をドラムの中心に相対する位置に保持することが必要である。錠剤を保持したＰＴＰシートを差し込んでおいて該ドラムを回転させれば、該ドラムの突起がやがてＰＴＰシートの表側を圧迫する。するとＰＴＰシートの裏側が破れ、錠剤は隔壁の貫通孔を通って隔壁の他の側に転がり出る。
ドラムの突起は半球型であることが好ましい。
【００１１】
ＰＴＰシートはあらかじめ錠剤１個ごとに切断し、錠剤１個を保持したＰＴＰシートの１片を前記隙間に差し込むことができる。
ＰＴＰシートは通常１０個の錠剤を５個ずつ２列で保持している場合が多い。このようなＰＴＰシートは縦に切断し、５個の錠剤を１列に保持したＰＴＰシ−トを横にずらしながら挿入し、順次錠剤を次々取り出すこともできる。
【考案の効果】
【００１２】
ドラムの回転の利用により、力が不十分なあるいは片手しか使えない身体障害者や高齢者でも、容易にＰＴＰシ−トから錠剤を取り出せる。
【図面の簡単な説明】
【００１３】
【図１】実施例の錠剤取出器の外箱の平面原理図
【図２】実施例の錠剤取出器の平面図（上）と側面図（下）
【図３】実施例のドラムの図
【図４】実施例の錠剤取出器の使用例の図
【考案を実施するための形態】
【００１４】
本考案の実施例を以下に示すが、本考案は実施例に限定されるわけではない。
【実施例１】
【００１５】
本実施例の錠剤取出器の外箱１０の上から見た原理図を図１に示す。外箱１０は中央に隔壁１１を有し。隔壁の左側の空間を１２と、右側の空間を１３として示している。右空間１３には底がある。隔壁１１の中央には貫通孔１４が設けられている。いろいろなＰＴＰシートからいろいろな大きさの錠剤を取り出すことを考えると、貫通孔は大きい目がよい。また貫通孔１４は、左から右に向かって傾斜していると、錠剤が転がり出やすく好ましい。
なお、図１では各角は直角となっているが、丸みを帯びるよう製作するのが好ましい。
【００１６】
本実施例の錠剤取出器の平面図（上）と側面図（下）を図２に示す。錠剤取出器の左側の空間１２にはプラスチック製のドラム２１を取り付けている。右側の底のある空間１３は取り出された錠剤が保持される場所である。
図２において、図１に示されている部材番号のうち、図をわかりやすくするため部材番号の一部を省略した。隔壁の中には、ＰＴＰシートを保持する保持台１５と保持台１５を支えるバネ１６とが設けられている。
【００１７】
プラスチック製のドラム２１を図３に示すように製作する。このドラムは円筒形ではあるが中央部が凹んでおり、この凹みの中に半球型の突起２２を備えている。突起の高さは、ドラムの外周程度とする。このドラムは左空間１２に回転可能に保持される。
ドラム１１を回転しやすくするため、ドラムの外側の直径の大きい部分２３には、ロ−レット加工を施すことが好ましい。さらに、実施例の錠剤取出器では、ドラムの一部に切り欠き（図示していない）を設けて、指をかけて回しやすくしている。
【００１８】
ドラム２１と隔壁１１の間１７の隙間の幅はＰＴＰシートを滑り込ませうる程度とする。具体的にはＰＴＰシートの錠剤が存在しない部分の厚みより若干大きくする。ＰＴＰシート自体の厚みはＰＴＰシートごとに若干異なっているので、この部分の隙間の幅は、0.5〜3mm程度が適当である。
【００１９】
本錠剤取出器の操作を図３に示す。図中の斜線を付された楕円形のものが錠剤２０である。この図では部材番号は図１、２に記載されているので、省略する。
ドラム２１と隔壁１１との隙間１７にＰＴＰシートに保持された錠剤を挿入する（図３(a)：平面図）。ＰＴＰシートは保持台１５により保持されている。ドラム２１を回転させると、ドラムの突起２２がＰＴＰシートを押す（図３(b)：側面図）と共に、保持台上のＰＴＰシートもバネ１６を押して下がっていく。さらにドラム１１を回転させると、ＰＴＰシートの錠剤部分の表側が押され、ＰＴＰシートの裏側の薄い面が破れて錠剤２０が取り出され、取り出された錠剤は隔壁１１の貫通孔１４を通って右空間１３に転がり落ちる（図３(c)：側面図）。ここに図３(c)の図は、錠剤が転がり落ちる様子を示すため、矢印と錠剤が２つの位置に画かれている。
錠剤が転がり落ちて後ドラムから手を離すと、ＰＴＰシートはバネ１６の力で上に戻る。
【００２０】
ＰＴＰシートの保持の向きは、錠剤の表側をドラムの突起の方に向け、錠剤の裏側の薄い部分を隔壁の穴の方向に向けることが必要である。
隙間１７に錠剤２０を保持したＰＴＰシートを挟むときは、錠剤が中央に保持されるように挟む。隙間の幅が狭められた部分（ドラムの外周２３部分）は錠剤と錠剤の間になり、ＰＴＰシートは溝にしっかりと保持されることができる。
この溝に錠剤を保持したＰＴＰシートを挟むと保持台上で保持される。ドラムを回転させると、ＰＴＰシートは溝の内部へと下がっていく。下るにつれて錠剤２０はドラムの半球型突起２２により圧迫され、やがて錠剤は裏面を突き破り、隔壁１１の貫通孔１４から右空間１３に放出される。
【実施例２】
【００２１】
本実施例の錠剤取出器は、薬剤のオブラート包み込みにも利用できる。右空間１３の、取り出された錠剤が転がり込むような位置に袋型オブラートを置いておけば、オブラート包みの錠剤が得られる。袋型のオブラートは市販されているが、１枚の平面型オブラートから自分で作ることもできる。
【００２２】
錠剤を服用する方は粉薬も服用する場合がある。そのときは右空間１３に袋型オブラートを置き、ここに粉薬を入れて封じれば、粉薬のオブラート投入が容易となる。
錠剤と粉薬と両方を服用する場合も、右空間１３に袋型オブラートを置き、まず錠剤をＰＴＰシートから取り出し、続いて粉薬を入れてオブラートを封じれば良い。
【実施例３】
【００２３】
実施例１、２のドラムの突起は１個であるが、複数個としても差し支えない。複数個の錠剤を次々取り出したいときは、複数の突起がある方が便利である。
隔壁は差し込み式とし交換可能としてもよい。この場合穴の大きさの異なるものを準備しておき、錠剤にちょうどフィットする穴を有するものを用いるのがよい。異なる大きさの錠剤を取り出す場合は、その錠剤に適した大きさの穴を有する隔壁を用いるのが好適である。
ドラムを回転可能に保持する方式は、シャフトを用いてもよく、設計事項である。
【符号の説明】
【００２４】
１０  錠剤取出器外箱
１１  外箱隔壁
１２  外箱左空間
１３  外箱右空間
１４  隔壁の貫通孔
１５  ＰＴＰシ−ト保持台
１６  保持台を支えるバネ
１７  隙間
２０  錠剤
２１  回転ドラム
２２  回転ドラムの半球型突起
２３  回転ドラム外側の直径が大きい部分
【図１】
0003197024.tif 000003
【図２】
0003197024.tif 000004
【図３】
0003197024.tif 000005
【図４】
0003197024.tif 000006